(57)【特許請求の範囲】
【請求項１】
無線通信システムにおけるフレームを通してデータを送信する方法であって、
プリアンブルセクションと、データセクションを含むフレームを生成するステップであって、前記プリアンブルセクションは、固定されたデータアイテムと複数個の構成データアイテムを含み、前記データセクションは、少なくとも一つの物理レイヤーパイプ（ＰＬＰ）を含む、ステップと、
前記フレームを送信するステップと、を含み、
前記複数個の構成データアイテムの各々は複数個のフレームで反復され、反復された構成データアイテムの各々を含むフレームの周期は、該当構成データアイテムの各々に予め決定される
ことを特徴とする方法。
【請求項２】
前記フレームの周期は、一つのフレームである
ことを特徴とする請求項１に記載の方法。
【請求項３】
前記フレームの周期は、前記データを送信するフレームの総数より小さいか同一である
ことを特徴とする請求項１に記載の方法。
【請求項４】
前記フレームの周期が２個のフレームより大きいか同一である場合、複数個のフレームのうちの第１のフレームで受信される第１のデータ構成アイテムは、連続するフレームで対応するＰＬＰを受信及び識別するために使用される
ことを特徴とする請求項１に記載の方法。
【請求項５】
反復された第１の構成データアイテムのためのフレームの周期に含まれたフレームの数は、反復された第２の構成データアイテムのためのフレームの周期に含まれたフレームの数より大きく、前記反復された第１の構成データアイテムは、前記反復された第２の構成データアイテムの前に送信される
ことを特徴とする請求項１に記載の方法。
【請求項６】
無線通信システムにおけるフレームを通してデータを受信する方法であって、
プリアンブルセクションとデータセクションを含むフレームを受信するステップであって、前記プリアンブルセクションは固定されたデータアイテム及び複数個の構成データアイテムを含み、前記データセクションは少なくとも一つの物理レイヤーパイプ（ＰＬＰ）を含む、ステップと、
前記フレームに含まれた前記複数個の構成データアイテム及び前記固定されたデータアイテムに基づいて少なくとも一つのＰＬＰをデコーディングするステップと、
前記複数個の構成データアイテムは、前記少なくとも一つのＰＬＰに関連し、前記複数個の構成データアイテムの各々は複数個のフレームで反復され、反復された構成データアイテムを含むフレームの周期は、該当構成データアイテムの各々に予め決定される
ことを特徴とする方法。
【請求項７】
前記フレームの周期は、一つのフレームである
ことを特徴とする請求項６に記載の方法。
【請求項８】
前記フレームの周期は、前記データを送信するフレームの総数より小さいか同一である
ことを特徴とする請求項６に記載の方法。
【請求項９】
前記フレームの周期が２個のフレームより大きいか同一である場合、複数個のフレームのうちの第１のフレームで受信される第１のデータ構成アイテムは、連続するフレームで対応するＰＬＰを受信及び識別するために使用される
ことを特徴とする請求項６に記載の方法。
【請求項１０】
反復された第１の構成データアイテムのためのフレームの周期に含まれたフレームの数は、反復された第２の構成データアイテムのためのフレームの周期に含まれたフレームの数より大きく、前記反復された第１の構成データアイテムは前記反復された第２の構成データアイテムの前に送信される
ことを特徴とする請求項６に記載の方法。
【請求項１１】
無線通信システムにおけるフレームを通してデータを送信する送信装置であって、
プリアンブルセクションと、データセクションを含むフレームを生成する制御部であって、前記プリアンブルセクションは、固定されたデータアイテムと複数個の構成データアイテムを含み、前記データセクションは、少なくとも一つの物理レイヤーパイプ（ＰＬＰ）を含む、制御部と、
前記フレームを送信する送信部と、を含み、
前記複数個の構成データアイテムの各々は複数個のフレームで反復され、反復された構成データアイテムの各々を含むフレームの周期は、該当構成データアイテムの各々に予め決定される
ことを特徴とする送信装置。
【請求項１２】
前記フレームの周期は、一つのフレームである
ことを特徴とする請求項１１に記載の送信装置。
【請求項１３】
前記フレームの周期は、前記データを送信するフレームの総数より小さいか同一である
ことを特徴とする請求項１１に記載の送信装置。
【請求項１４】
前記フレームの周期が２個のフレームより大きいか同一である場合、複数個のフレームのうちの第１のフレームで受信される第１のデータ構成アイテムは、連続するフレームで対応するＰＬＰを受信及び識別するために使用される
ことを特徴とする請求項１１に記載の送信装置。
【請求項１５】
反復された第１の構成データアイテムのためのフレームの周期に含まれたフレームの数は、反復された第２の構成データアイテムのためのフレームの周期に含まれたフレームの数より大きく、前記反復された第１の構成データアイテムは、前記反復された第２の構成データアイテムの前に送信される
ことを特徴とする請求項１１に記載の送信装置。
【請求項１６】
無線通信システムにおけるフレームを通してデータを受信する受信装置であって、
プリアンブルセクションとデータセクションを含むフレームを受信する受信部であって、前記プリアンブルセクションは、固定されたデータアイテム及び複数個の構成データアイテムを含み、前記データセクションは、少なくとも一つの物理レイヤーパイプ（ＰＬＰ）を含む、受信部と、
前記フレームに含まれた前記複数個の構成データアイテム及び前記固定されたデータアイテムに基づいて少なくとも一つのＰＬＰをデコーディングするデコーディング部と、を含み、
前記複数個の構成データアイテムは、前記少なくとも一つのＰＬＰに関連し、前記複数個の構成データアイテムの各々は複数個のフレームで反復され、反復された構成データアイテムを含むフレームの周期は、該当構成データアイテムの各々に予め決定される
ことを特徴とする受信装置。
【請求項１７】
前記フレームの周期は一つのフレームである
ことを特徴とする請求項１６に記載の受信装置。
【請求項１８】
前記フレームの周期は、前記データを送信するフレームの総数より小さいか同一である
ことを特徴とする請求項１６に記載の受信装置。
【請求項１９】
前記フレームの周期が２個のフレームより大きいか同一である場合、複数個のフレームのうちの第１のフレームで受信される第１のデータ構成アイテムは、連続するフレームで対応するＰＬＰを受信及び識別するために使用される
ことを特徴とする請求項１６に記載の受信装置。
【請求項２０】
反復された第１の構成データアイテムのためのフレームの周期に含まれたフレームの数は、反復された第２の構成データアイテムのためのフレームの周期に含まれたフレームの数より大きく、前記反復された第１の構成データアイテムは、前記反復された第２の構成データアイテムの前に送信される
ことを特徴とする請求項１６に記載の受信装置。
【発明の詳細な説明】
【技術分野】
【０００１】
本発明は、無線通信システムのフレーム構造に関し、フレーム構造を通してデータストリームを送受信する方法及び装置に関する。
【背景技術】
【０００２】
ディジタルビデオブロードキャスティング（Digital Video Broadcasting：ＤＶＤ）システムのような無線通信システムは、一連のフレームでデータを送信することができる。例えば、ＤＶＢシステムは、ＤＶＢ−地上波第２世代（Ｔ２）標準、ＤＶＢ−次世代ハンドヘルド（ＤＶＢ−ＮＧＨ）標準、ＡＴＳＣ（Advanced Televisions Systems Committee）、統合サービスディジタルブロードキャスティング（Integrated Services Digital Broadcasting：ＩＳＤＢ）、またはディジタルマルチメディアブロードキャスティング（Digital multimedia Broadcasting：ＤＭＢ）に従って動作することができる。
【０００３】
各ブロードキャストフレームは、通常に、プリアンブルセクション及びデータセクションを含み、このプリアンブルセクション及びデータセクションは、時間多重化される。例えば、このデータセクションは、物理レイヤーパイプ（Physical Layer Pipe：ＰＬＰ）と呼ばれる複数のデータストリームで配列されるデータを運搬する。ＰＬＰは、ユーザーに提供されるビデオチャネルのようなサービスを運搬する。
【０００４】
このフレームからのデータの受信及びこのデータストリームの受信は、通常に、フレームのプリアンブルで運搬されることができるシグナリングの助けを受け、この場合に、このシグナリングを帯域外（out-of-band：ＯＢ）シグナリングと呼び、または、このシグナリングは、通常に、前のフレームのデータセクションで運搬されることができ、このシグナリングを帯域内（in-band：ＩＢ）シグナリングと呼ぶ。このシグナリングは、物理レイヤーシグナリング又はレイヤー１（Layer 1：Ｌ１）と呼ぶ。 
【０００５】
フレームのプリアンブルセクションは、Ｌ１−Ｃｏｎｆｉｇ（構成）部分及びＬ１−Ｄｙｎ（動的）部分を含む様々な部分を含む。Ｌ１−Ｃｏｎｆｉｇ部分は、主に、スーパーフレームの各フレームに対して有効な（valid）情報を運搬し、スーパーフレームの各フレームに対して同一である。Ｌ１−Ｄｙｎ部分は、フレームに従って様々であり得る情報を運搬する。
【０００６】
信号圧縮技術の使用が増加するに従って、特に、移動環境でさらに強固であり得るより低いデータ送信速度のサービスを提供することにより、一連のフレームにより運搬されるＰＬＰの数は、潜在的に大きい。例えば、ＤＶＢ−Ｔ２では、２５５個までのＰＬＰがサポートされることができる。
【０００７】
送信される情報の少なくとも一部分が相互に異なるＰＬＰの間で様々であるので、プリアンブルセクションで送信されるシグナリング情報は、データ容量の観点でフレーム当たりの大きいオーバーヘッドを示すこともある。特に、Ｌ１−Ｃｏｎｆｉｇ部分は、プリアンブルセクションのシグナリング情報の高い比率（例えば、６０％以上）を占める。その結果、Ｌ１−Ｃｏｎｆｉｇによるオーバーヘッドは、特に高い。
【発明の概要】
【発明が解決しようとする課題】
【０００８】
本発明の目的は、少なくとも上述した問題点及び／又は不都合に取り組み、少なくとも以下の便宜を提供することにある。
【課題を解決するための手段】
【０００９】
上記のような目的を達成するために、本発明の実施形態の一態様によれば、無線通信システムにおけるフレームを通してデータを送信する方法は、固定データアイテム及び構成データアイテムを含むプリアンブルセクションと、少なくとも１つの物理レイヤーパイプ（ＰＬＰ）を含むデータセクションとを含むようにフレームを構成するステップと、上記構成されたフレームを送信するステップとを有し、上記構成データアイテムは、上記少なくとも１つのＰＬＰに関連し、上記構成データアイテムの反復長さに従って上記フレームのプリアンブルセクションを構成することを特徴とする。
【００１０】
本発明の実施形態の他の態様によれば、無線通信システムにおけるフレームを通してデータを受信する方法は、固定データアイテム及び構成データアイテムを含むプリアンブルセクションと少なくとも１つの物理レイヤーパイプ（ＰＬＰ）を含むデータセクションとを含むフレームを受信するステップと、上記フレームのプリアンブルセクションを解析するステップとを有し、上記構成データアイテムは、上記少なくとも１つの物理レイヤーパイプ（ＰＬＰ）に関連し、上記構成データアイテムの反復長さに従って上記フレームのプリアンブルセクションを解析することを特徴とする。
【００１１】
本発明の実施形態のまた他の態様によれば、無線通信システムにおけるフレームを通してデータを送信する装置は、固定データアイテム及び構成データアイテムを含むプリアンブルセクションと、少なくとも１つの物理レイヤーパイプ（ＰＬＰ）を含むデータセクションとを含むようにフレームを構成するフレーム構成部と、上記構成されたフレームを送信する送信部とを有し、上記構成データアイテムは、上記少なくとも１つのＰＬＰに関連し、上記構成データアイテムの反復長さに従って上記フレームのプリアンブルセクションを構成することを特徴とする。
【００１２】
本発明の実施形態のさらに他の態様によれば、無線通信システムにおけるフレームを通してデータを受信する装置は、固定データアイテム及び構成データアイテムを含むプリアンブルセクションと少なくとも１つの物理レイヤーパイプ（ＰＬＰ）を含むデータセクションとを含むフレームを受信する受信部と、上記フレームのプリアンブルセクションを解析する制御部とを有し、上記構成データアイテムは、上記少なくとも１つの物理レイヤーパイプ（ＰＬＰ）に関連し、上記構成データアイテムの反復長さに従って上記フレームのプリアンブルセクションを解析することを特徴とする。
【発明の効果】
【００１３】
本発明の実施形態では、異なるタイプの構成データアイテムに対して異なる反復長さ（repetition length）が設定され、異なるタイプの構成データアイテムが複数のフレームを含むフレーム構造内で異なる長さに従って反復されることにより、フレームごとにすべての構成データアイテムが送信される先行技術方法に比べてシグナリングオーバーヘッドを減少させることができるという長所がある。
【００１４】
ここで説明される図は、説明のための目的のみとして使用され、本発明の範囲を限定する意図として使用されてはいけないことに留意しなければならない。
【図面の簡単な説明】
【００１５】
【図１】本発明の一実施形態によるデータフレームを示す概略図である。
【図２】本発明の一実施形態によるフレーム構造を示す概略図である。
【図３】本発明の一実施形態によるフレームのＬ１−Ｃｏｎｆｉｇシグナリング部分で運搬されるデータの一例を示す表である。
【図４】本発明の一実施形態による異なるタイプの構成データアイテムを配列する過程を示すフロー図である。
【図５】本発明の一実施形態に従ってデコーディングされるフレーム構造で運搬されるデータを示す概略図である。
【図６】本発明の一実施形態によるフレームのＬ１−Ｃｏｎｆｉｇシグナリング部分で運搬されるデータの他の例を示す表である。
【図７】本発明の一実施形態による送信器装置の構成を示す図である。
【図８】本発明の一実施形態による受信器装置の構成を示す図である。
【発明を実施するための形態】
【００１６】
本発明の様々な実施形態を、添付の図面を参照して詳細に説明する。下記の説明は、特許請求の範囲の記載及びこれと均等なものの範囲内で定められるような本発明の実施形態の包括的な理解を助けるために提供するものであり、この理解を助けるために様々な特定の詳細を含むが、これは一つの実施形態にすぎない。従って、本発明の範囲及び趣旨を逸脱することなく、ここに説明する実施形態の様々な変更及び修正が可能であるということは、当該技術分野における通常の知識を有する者には明らかである。また、明瞭性と簡潔性の観点から、当業者に良く知られている機能や構成に関する具体的な説明は、省略する。
【００１７】
本発明の様々な実施形態が第２世代の地上波ディジタルビデオブロードキャスティング（Digital Video Broadcasting：ＤＶＢ−Ｔ２）システムに基づくディジタルビデオブロードキャスティング次世代ハンドヘルド（Digital Video Broadcasting Next Generation Handheld：ＤＶＢ−ＮＧＨ）標準を参照して説明する。
【００１８】
しかしながら、本発明の様々な実施形態が第２世代の地上波ＤＶＢ−Ｔ２システムに基づくＤＶＢ−ＮＧＨ標準を参照して説明されても、本発明は、他の無線ブロードキャストシステムにも適用可能であり、ディジタルビデオ信号の送信に限定されない。
【００１９】
また、本発明の様々な実施形態では、データが物理レイヤーパイプ（Physical Layer Pipes：ＰＬＰ）で直交周波数分割多重化（Orthogonal Frequency-Division Multiplexing：ＯＦＤＭ）を用いて送信されると説明しているが、本発明は、このような配列（arrangements）に限定されず、他のタイプのデータストリームも使用されることができる。
【００２０】
図１は、本発明の実施形態によるデータを送信する時に使用されるフレームの一例を示す図である。
【００２１】
図１を参照すると、フレーム１００は、プリアンブルセクション１０２及びデータセクション１０４を含む。プリアンブルセクション１０２は、シグナリング情報を含み、特に、部分Ｐ１  １０６、Ｌ１−ｐｒｅ１０８、Ｌ１−Ｃｏｎｆｉｇ１１０、Ｌ１−Ｄｙｎ１１２、Ｌ１−ダイナミック拡張（Ｅｘｔｅｎｓｉｏｎ）１１４、サイクリックリダンダンシーチェック（ＣＲＣ）１１６、及びＬ１パッディング（Ｌ１  Ｐａｄｄｉｎｇ）１１８を含む。図１には図示していないが、Ｌ１−ｐｒｅ１０８の後ろに配置されるＬ１−Ｃｏｎｆｉｇ１１０からＬ１パッディング１１８までを“Ｌ１−ｐｏｓｔ”と定義する。データセクション１０４は、データ、例えば、ＰＬＰ内に送信されるデータを含む。また、図１に図示していないが、データセクション１０４は、異なるタイプのデータを送信するための複数の部分も含む。
【００２２】
通常、Ｐ１シグナリング部分１０６は、フレームでプリアンブルセクション１０２を識別するデータを含む。シグナリング部分Ｌ１−Ｐｒｅ １０８は、プリアンブルセクション１０２の残り（remainder）を受信するためのシグナリング情報と少なくとも変調及び符号化方式に関連した情報とを含む。
【００２３】
シグナリング部分Ｌ１−Ｃｏｎｆｉｇ１１０は、複数のフレームを含む所定のスーパーフレーム内の各フレーム（例えば、フレーム１００）に対して有効な情報を運搬し、基本的にスーパーフレームの各フレームに対して同一である。部分Ｌ１−Ｃｏｎｆｉｇ１１０を含む情報は、スーパーフレーム内に運搬されるＰＬＰに関連した構成データを含み、詳細には、スーパーフレーム内に運搬されるＰＬＰの数、又は関連するＰＬＰにより使用される変調タイプ情報を含む。
【００２４】
一般的に、Ｌ１−Ｄｙｎ部分１１２は、フレームからフレームまで有効な情報を運搬する。Ｌ１−Ｄｙｎ部分１１２は、フレーム内のＰＬＰをデコーディングする情報を主に含む。Ｌ１−Ｄｙｎシグナリング部分１１２は、例えば、スーパーフレーム内のフレームのインデックス及び／又はＰＬＰの開始アドレスを含むことができる。
【００２５】
Ｌ１−ダイナミック拡張１１４は、他の部分に含まれない付加のシグナリング情報を含む。ＣＲＣ部分１１６は、受信器で送信エラーを検出するためのＣＲＣコードを含む。
【００２６】
Ｌ１パッディング１１８は、可変長フィールドであり、Ｌ１−ｐｏｓｔシグナリングが複数のブロックに分割され、これらのブロックが個別にエンコーディングされる時に、Ｌ１−ｐｏｓｔシグナリングの複数のコーディングブロックが同一の情報サイズを有することができるようにＣＲＣフィールド１１６の後ろに挿入される。
【００２７】
プリアンブルセクション１０２の異なるシグナリング部分は、ともには個別に送信するためにエンコーディングされることができる。例えば、Ｌ１−Ｃｏｎｆｉｇ１１０は、Ｌ１−Ｄｙｎ１１２とともに又は個別にコーディングされることができる。
【００２８】
上述したように、データセクション１０４は、ＰＬＰに配列されたデータを運搬する。しかしながら、各ＰＬＰは、フレームごとに必ずマッピングされる必要がない。
【００２９】
本発明の実施形態に従って、異なるタイプの構成データアイテムに対して異なる反復長さ（repetition length）が設定されることにより、異なるタイプの構成データアイテムが複数のフレームを含むフレーム構造内で異なる長さに従って反復される。反復長さｎは、ｎフレームごとに異なるタイプの構成データアイテムが反復して構成されることを意味する。
【００３０】
図２は、本発明の一実施形態によるフレーム構造を示す概略図である。具体的に、図２は、相互に異なる構成データアイテムＰｎｍがフレーム構造２００の各フレームで送信されるｎ個のフレームを含むフレーム構造を示す。また、図２は、各フレームのＬ１−Ｃｏｎｆｉｇ１１０に含まれているデータのみを示す。対応するフレーム構造でＬ１−Ｃｏｎｆｉｇ１１０の部分を除いた他の部分は、簡潔性のために省略される。
【００３１】
図２を参照すると、Ｌ１−Ｃｏｎｆｉｇ１１０に含まれたデータは、固定データ（constant data）２０２及び構成データ２０４を含む。固定データ２０２は、特定のＰＬＰに独立する構成情報を含む。例えば、固定データ２０２は、各フレームで送信される必要があるＴＦＳ（Time Frequency Slicing）アイテム、ＦＥＴ（Future Extension Frame）シグナリング情報アイテム及び／又は補助（auxiliary）ストリーム情報アイテムのようなシグナリング情報アイテムを含むことができる。
【００３２】
構成データ２０４は、それぞれ１つ又はそれ以上のＰＬＰに関連し、自身が関連する１つ又はそれ以上のＰＬＰを受信するのに必要な構成データアイテムを含む。図２の構成データ２０４は、ＰＬＰのそれぞれに関連するシグナリング情報を含むシグナリングループで構成される。具体的に、図３の２０４は、ＰＬＰ＿ＩＤ（IDentifier）を含むループの形態で構成され、８ビットで表現されるＰＬＰ＿ＩＤは、ＰＬＰに関連したシグナリング情報である。すなわち、Ｎｕｍ＿ＰＬＰ＿ｃｏｎｆｉｇ個のＰＬＰに関連したシグナリング情報は、ｉ＝０からＮｕｍ＿ＰＬＰ＿Ｃｏｎｆｉｇ−１までループの形態で表現される。ｉは、所定のループを指定する変数値で実際に送信されないことは当然である。以下では、説明の便宜のために、特定のＰＬＰ＿ＩＤに関連したシグナリング情報を‘ＰＬＰシグナリングループ’と呼ぶ。この構成データアイテムは、異なるタイプ２０４ａ乃至２０４Ｎの構成データアイテムに分離されることができ、異なるタイプ２０４ａ乃至２０４Ｎには、それぞれの反復長さが設定される。異なるタイプ２０４ａ乃至２０４Ｎのそれぞれは、少なくとも１つのＰＬＰ＿ＩＤに関連したシグナリング情報、すなわち、‘ＰＬＰシグナリングループ’で構成される。
【００３３】
ここで、構成データアイテムＰｎｍは、フレームｎごとに反復（反復長さｎ）され、フレームｍで最初に送信される構成データアイテムを示す。したがって、図２において、構成データアイテムＰ１１は、フレームごとに反復され、構成データアイテムＰ２１は、奇数フレーム１、３、５などで反復され、構成データアイテムＰ２２は、偶数フレーム２、４、６などで反復される。このとき、Ｎ番目のフレームに対応する構成データアイテムＰ２ｉは、Ｐ２１又はＰ２２であり、Ｎの値に従って決定される。すなわち、ｉは、Ｎの値に従って１又は２である。
【００３４】
構成データアイテムＰ３１は、フレーム１、４、７などで反復される。同様に、Ｎ番目のフレームに対応する構成データアイテムＰ３ｊは、Ｐ３１又はＰ３２又はＰ３３であり、Ｎの値に従って決定される。すなわち、ｊは、Ｎの値に従って１又は２又は３である。
【００３５】
もっとも低い反復長さセットは、Ｎフレームごとに反復される構成データアイテムＰＮｍの場合である。したがって、反復長さＮは、反復長さＮを有する構成データアイテムのタイプが反復される前に構成されるフレームの個数（Ｎ−１）を定義する。
【００３６】
したがって、各構成データアイテムは、フレーム構造で少なくとも１回含まれる。しかしながら、すべての構成データアイテムがフレーム構造の各フレームの間に反復されるものではないので、各フレームの間にさらに少ないデータが送信されることができ、これにより、フレームごとにすべての構成データアイテムが送信される方法に比べてシグナリングオーバーヘッドを減少させる。
【００３７】
また、異なるタイプの構成データアイテムに対して異なる反復長さが設定されるので、初期化の時又はチャネルの変更の時（zapping）などに受信器で発生するデコーディング遅延が与えられた構成データアイテムが関連するＰＬＰのサービス要求（各フレームの長さのｎ／２倍であるｎフレームごとに反復される構成データアイテムを受信する時の平均遅延）に従って適切に制御されることができる。したがって、長い遅延が好ましくないＰＬＰに関連した構成データアイテムに遅延がさらに許容され得るＰＬＰに関連した構成データアイテムよりさらに低い反復長さが割り当てられることができる。
【００３８】
例えば、サービスの基本バージョンが最小の予想遅延で提供され、この同一のサービスの向上したバージョンが後で使用可能であるように同一のサービスの相互に異なる部分に関連したデータを運搬する相互に異なるＰＬＰに対して相互に異なる反復長さを設定することが好ましい場合もある。このサービスの基本バージョンは、単入力単出力（Single-Input and Single-Output：ＳＩＳＯ）構成を使用することができ、向上したバージョンは、同一のサービスの多入力多出力（Multiple-Input and Multiple-Output：ＭＩＭＯ）構成を使用することができる。
【００３９】
例えば、スケーラブルビデオコーディング（Scalable Video Coding：ＳＶＣ）方式を使用して送信する場合に、この方式のベース階層を受信するための構成データアイテムは、この方式の向上した階層を受信するための構成データアイテムよりさらに高い反復長さで送信されることができる。したがって、この受信器は、このベース階層のための構成データアイテムを受信した直後に、この向上した階層に関連したことを待機する必要なしに、初期にベースストリームをデコーディングし、ユーザーに表示することができる。
【００４０】
図２のフレーム構造２００がＮ個（この送信に対してもっとも長い反復長さと同一の数字）のフレームを示すとしても、本発明の実施形態に従って、データが送信されるフレーム構造の長さに限定されない。また、このフレーム構造のフレームは、スーパーフレームに配列されてもよい。例えば、この送信のために設定された最大反復長さは、スーパーフレームの長さがＮと同一であるか又はＮの倍数となるように選択されることができる。
【００４１】
図３は、本発明の一実施形態によるフレームのＬ１−Ｃｏｎｆｉｇシグナリング部分で運搬されるデータの一例を示す表である。具体的に、図３は、本発明の一実施形態によるフレームのＬ１−Ｃｏｎｆｉｇ１１０のシグナリング部分に含まれた固定データ２０２と構成データ２０４及び対応するデータサイズを示す。
【００４２】
図３を参照すると、固定データ２０２は、構成データ２０４が各フレーム又はスーパーフレームに含まれたＰＬＰの個数を示すデータアイテムＮｕｍ＿ＰＬＰ＿ｃｏｎｆｉｇ２０２ａを含む。構成データ２０４は、様々な構成データアイテムを含む。“構成データアイテム”という用語は、この構成データ内の単一のフィールドに含まれたデータ又は関連するフィールドのセットに含まれたデータに関連することができることを理解しなければならない。
【００４３】
本発明の実施形態に従って、ＰＬＰの識別子は、構成データアイテムＰＬＰ＿ＩＤ２０６で識別され、構成データアイテムＬ１Ｃｏｎｆｉｇ＿Ｒｅｐｅｔｉｔｉｏｎ＿Ｌｅｎｇｔｈ２０８は、識別されたＰＬＰに関連した構成データアイテムの反復長さを示す。図３では、新規フィールドとして図示しているが、一部の実施形態において、Ｌ１Ｃｏｎｆｉｇ＿Ｒｅｐｅｔｉｔｉｏｎ＿Ｌｅｎｇｔｈ２０８は、“Ｒｅｓｅｒｖｅｄ＿１”フィールドのような拡張フィールドに含まれることができる。
【００４４】
本発明の実施形態に従って、構成データアイテムは、この構成データアイテムの反復長さに基づいて送信順序が決定される。したがって、さらに低い反復長さを有する構成データアイテムは、さらに高い反復長さを有する構成データアイテムの前に送信される。このとき、同一の反復長さを有する構成データアイテムは、これらが関連するＰＬＰのＰＬＰ＿ＩＤ２０６の順序で送信されるように順序が決定されることができる。例えば、この構成データアイテムは、ＰＬＰ＿ＩＤ２０６により昇順で整列されることができる。この構成データアイテムを予測可能な（predictable）方式で整列することにより、受信器は、後続するフレームで送信された構成データアイテムと関連するＰＬＰを予測することができる。
【００４５】
図４は、本発明の一実施形態による異なるタイプの構成データアイテムを配列する方法を示すフロー図である。
【００４６】
図４を参照すると、ステップＳ４００において、送信器は、所望する反復長さｎを有するＱｎ個の割り当てられないＰＬＰのセットＳｎを決定する。Ｑｎは、ネットワークオペレータにより設定された反復長さｎを有する構成データの‘ＰＬＰシグナリングループ’の個数を意味する。Ｓｎは、反復長さｎを有する‘ＰＬＰシグナリングループ’を意味する。上述したように、所望する反復長さｎは、例えば、ＰＬＰのそれぞれに関連して、ネットワークオペレータにより設定されたサービス要件に基づいて決定されることができる。
【００４７】
ステップＳ４０２において、送信器は、Ｑｎがｎと同一であるか又はｎの倍数であるかを判定する（例えば、ｎが４である場合に、Ｑｎが４、８、１２などであるか、そうでなければ、Ｑｎが４の倍数でない数であるかを判定する）。
【００４８】
Ｑｎがｎと同一でないか又はｎの倍数でないものと判定される場合に、ステップＳ４０４において、所望する反復長さｎ＋１を有するＰＬＰに対する構成データ、すなわち‘ＰＬＰシグナリングループ’をセットＳｎに付加することによりＱｎの値が１だけ増加する。ステップＳ４０４は、反復長さをｎに減少させることにより、反復長さｎ＋１を要求するＰＬＰに対するサービスに低下がなく、実際には向上するという理由で実行される。ステップＳ４０４の後に、この過程は、ステップＳ４０２に戻り、Ｑｎの値が同一であるか又はｎの倍数であるまでステップＳ４０２及びステップＳ４０４を反復する。
【００４９】
ステップＳ４０６において、Ｑｎがｎと同一であるか又はｎの倍数である場合に、対応する構成データアイテムが反復長さｎで送信されるＰＬＰの数ＰｎがＱｎに設定される。Ｐｎは、本発明のアルゴリズムにより再設定される反復長さを意味する。すなわち、Ｑｎがｎと同一であるか又はｎの倍数である場合に、Ｓｎに含まれた構成データアイテムは、反復長さｎを有するタイプとして分類され、Ｓ１、Ｓ２、Ｓ３、及びＳＮは、図２を参照して上述したようなデータタイプ２０４ａ、２０４ｂ、２０４ｃ、及び２０４Ｎにそれぞれ対応する。
【００５０】
ステップＳ４０８において、Ｓｎに含まれた構成データアイテムが図２に関連して上述したようなデータアイテムＰｎｍに対応するｎ個のグループＰｎ１乃至Ｐｎｎにさらに分類される。ｎのすべての値に対するＰｎｍは、ｍの値に関係なく同一の個数のＰＬＰに関連する構成データアイテムを含むように選択されることができる。
【００５１】
ステップＳ４１０において、送信器は、対応する構成データアイテムがまだ割り当てられていない（すなわち、反復長さが設定されない）残っているＰＬＰがあるか否かを判定する。この判定の結果、割り当てられない構成データアイテムが存在すると判定される場合に、ｎの値は、ステップＳ４１２で増加され、この過程は、ステップＳ４００に戻って、増加されたｎの値を用いて上述した過程を反復する。
【００５２】
しかしながら、割り当てられる構成データアイテムがこれ以上存在しない場合に、ステップＳ４１４において、前のステップで配列されたフレームに従ってデータの送信が開始される。
【００５３】
最小値と最大値間で増加する方式でｎの値に対して図４の過程を反復することにより、すべてのＰＬＰに対する構成データアイテムは、ＰＬＰと関連したサービス要件に基づいて決定された所望する反復長さと同一であるか又は小さい値に設定された反復長さを有する相互に異なるタイプに分類され、これにより、サービスの品質が所望するレベルに又はそれ以上に保持される。また、所望する長さより小さい反復長さを有するＰＬＰの数が最小に保持されるので、各フレームですべての構成データアイテムを反復しないことによりシグナリングオーバーヘッドを減少させる。
【００５４】
上記のような過程において、ステップＳ４０４で所望する反復長さｎ＋１を有するＰＬＰが存在すると仮定しても、そのようなＰＬＰが存在しない場合に、ｎ＋１以上の所望する反復を有するＰＬＰに対する構成データアイテムが使用されることもある。すべてのＰＬＰに対する構成データがすでに割り当てられた場合（すなわち、ｎが送信されるＰＬＰに対する最大値である場合）に、ダミーＰＬＰに関連するダミー構成データアイテムがその代わりに使用されることもある。追加的に又は選択的に、Ｑｎがｎと同一であるか又はｎの倍数であるようにすでに割り当てられた１つ又はそれ以上のＰＬＰに関連した構成データが反復されることもある。
【００５５】
ステップＳ４０８において、構成データアイテムの各タイプをｎ個のグループに分割することにより、与えられたタイプの各グループが同一の数のＰＬＰに関連するようにし、フレーム構造のフレームのそれぞれが一定の数のデータアイテムを有する。すなわち、各フレームに対するシグナリング容量が一定に保持される。結果的に、これは、スケジューリングを簡素化することができるという長所を有する。
【００５６】
表１は、図４を参照して説明されたものと類似した方式で構成データアイテムを配列するためのアルゴリズムに対する擬似（pseudo）コードの一例を示す。
【００５７】
【表１】
0006001639.tif 000002
【００５８】
例えば、図４に示した過程を実行する送信装置は、フレーム構造でエンコーディングされるデータストリーム、例えば、相互に異なるディジタルビデオブロードキャストチャネルを受信する入力通信インターフェース、適切な場合に、上述した所望する反復長さのようなデータを記憶することができるデータ記憶装置と関連して処理ステップを実行するためのプロセッサ又はプロセッサのセットを含むことができる。また、送信装置は、無線でデータを送信する出力通信インターフェースを含む。
【００５９】
同様に、送信装置により送信されるデータは、１つ又はそれ以上の受信器装置により受信され、この受信器装置のそれぞれは、無線でデータを受信する入力通信インターフェース、適切な場合に、データ記憶手段に関連して現在説明されているような受信された信号の処理を実行するプロセッサ又はプロセッサのセット、及びビデオディスプレー、オーディオ送信器、及び／又は１つ又はそれ以上の選択されたデコーディングされたデータストリームを出力する出力通信インターフェースを含む。
【００６０】
上述したフレーム構造で送信されたデータを受信する際に、受信器装置は、相互に異なる反復長さに対応する受信される相互に異なるＰＬＰを、例えば、受信器装置でチャネルの変化に応答して選択する。受信器装置は、それぞれ選択されたＰＬＰに対応する構成データアイテムを受信し、この受信された対応する構成データアイテムを用いて対応するＰＬＰを受信する。
【００６１】
有利には、与えられたフレームのＬ１−Ｃｏｎｆｉｇシグナリング部分１１０で運搬される与えられたＰＬＰに関連したデータが自分でデコーディングされることができ、すなわち、デコーディングのために必要なすべてのデータを含み、これにより、対応する構成データアイテムが受信されるやいなや与えられたＰＬＰに関連したデコーディングが開始されることもある。また、与えられた構成データアイテムの１番目のインスタンス（instance）が受信されデコーディングされると、この構成データアイテムが上述したように反復長さ及び／又はＰＬＰ識別子に基づいて予測可能な方式で順序が決定されるので、同一の構成データアイテムの後続のインスタンスをデコーディングする必要がないこともある。
【００６２】
図５は、本発明の一実施形態に従ってデコーディングされるフレーム構造で運搬されるデータを示す概略図である。
【００６３】
図５を参照すると、各構成データアイテムがそのインスタンスが最初に受信される時に正しくデコーディングされると仮定する場合に、すべての構成データアイテムは、Ｎ＋１フレームの後にデコーディングされ、ここで、Ｎは、送信のために設定されたもっとも長い反復長さである。
【００６４】
受信器装置の処理リソースに対する負担を減らすために、構成データアイテムのインスタンスが最初に受信されデコーディングされる時に、受信器装置のデータ記憶手段、すなわち、メモリに記憶されることができ、この記憶されたインスタンスは、フレーム構造２００において後続のフレームで対応するＰＬＰを識別し受信するために使用される。スーパーフレーム内の同一の構成データアイテムの後続の反復されるインスタンスには、受信器がデコーダにより無視されデコーディングされないようにフラグ付けされることができる。
【００６５】
本発明の実施形態に従って、記憶されたインスタンスは、構成データアイテムの反復されるインスタンスを含むフレームの次にくるスーパーフレーム内の後続フレームの対応するＰＬＰを識別し受信するために使用されることができる。
【００６６】
本発明の他の実施形態に従って、受信器動作の単純性を保持しつつ（または、保持するか又は）デコーディングエラーを減少させるために、フレーム構造で送信される与えられた構成データアイテムの各インスタンスがデコーディングされることがある。
【００６７】
本発明の実施形態に従って、受信器は、ソフトデコーダと関連した１つ又はそれ以上の値を１つ又はそれ以上の所定の値に設定することにより構成データアイテムがすでに知られていることを示す。例えば、受信器は、ソフトデコーダでデコーディングされるデータアイテムに対するエラー訂正で信頼因子（confidence factors）として使用される対数尤度比（Log Likelihood Ratio）を発生させる。構成データアイテムの付加の反復インスタンスに対する対数尤度比（ＬＬＲ）をスーパーフレームの残りで＋／−∞に設定することにより、これらがすでに知られていることを示すことができる。
【００６８】
知られている構成データアイテムは、Ｌ１−Ｃｏｎｆｉｇ１１０で運搬される他のデータ及び／又はＬ１−Ｄｙｎ１１２に含まれたデータのような他のデータのデコーディングを容易にするように使用されることができる。（＋／−∞に設定された対応するＬＬＲにより示されているように）この受信されたデータの一部のビットがすでに知られているという事実は、エラー訂正の観点で受信されたデータの他のビットのデコーディングのロバスト性を増加させる。
【００６９】
また、与えられた構成データアイテムが第１のデータセット（例えば、与えられたフレームのデータ）で受信されデコーディングされる場合に、このデコーディングされたデータは、この構成データアイテムを含むデータの付加のセットのデコーディング過程を容易にするのに使用されることができる。構成データアイテムのビットが知られているので、このデータの追加のセットに含まれた追加のデータアイテムと関連してエラー訂正のロバスト性を向上させる。これらの追加のデータアイテムは、フレームのＬ１−Ｃｏｎｆｉｇ１１０又はＬ１−Ｄｙｎ１１２のような他のシグナリング部分で運搬されるデータアイテムを含むことができ、Ｌ１−Ｄｙｎ１１２は、Ｌ１−Ｃｏｎｆｉｇ１１０とともにコーディングされる。
【００７０】
フレームがスーパーフレームに配列される場合に、この構成データは、スーパーフレームごとに様々であり得る。したがって、本発明の一部の実施形態において、受信器装置は、各スーパーフレームの各構成データアイテムの少なくとも１番目のインスタンスをデコーディングする。しかしながら、この構成データアイテムが相互に異なるスーパーフレームの間でも間歇的に変更されることができるので、他の実施形態では、受信器装置が各スーパーフレームの各構成データアイテムの１番目のインスタンスをデコーディングしない。その代りに、この構成データアイテムが変更されたことを示す表示が、例えば、Ｌ１−Ｄｙｎ１１２に含まれることができ、受信器装置は、このような表示の受信に応じて構成データの新たなインスタンスをデコーディングする。
【００７１】
また、この表示は、対応する構成データアイテムが変更された１つ又はそれ以上のＰＬＰを示すことができる。この場合に、受信器装置は、表示されたＰＬＰのみに対して構成データアイテムを新たにデコーディングすることができる。
【００７２】
図６は、本発明の一実施形態によるフレームのＬ１−Ｃｏｎｆｉｇシグナリング部分で運搬されるデータを示す。例えば、図６は、フレームのＬ１−Ｃｏｎｆｉｇに含まれた固定データ２０２及び構成データ２０４に対する他の配列を示す。
【００７３】
図６を参照すると、ＰＬＰ構成の数は、使用されるＰＬＰの数よりさらに小さい数に制限され、ＰＬＰは、使用されるＰＬＰ構成（“ＰＬＰモード”）に従って分類される。このような方式で、与えられたＰＬＰモードに共通であるこの構成データアイテムは、与えられたＰＬＰモードの各ＰＬＰに対して個別に送信される必要がない。図６において、相互に異なるタイプの構成データアイテムは、上述したように、ＰＬＰ単位で又はその代りに相互に異なるＰＬＰモードの単位で割り当てられることができる。
【００７４】
図７は、本発明の実施形態による送信器装置の構成を示す図である。
【００７５】
図７を参照すると、送信器装置７００は、フレーム生成部７０２と送信部７０４とを含む。フレーム生成部７０２は、このフレームのプリアンブルに関するシグナリング情報にマッピングされる複数の構成データアイテムのそれぞれに対して反復長さを設定し、この複数の構成データアイテムのそれぞれに対して設定された反復長さのそれぞれに対応するフレームを生成する。
送信部７０４は、このフレームを反復して送信する。
【００７６】
図８は、本発明の実施形態による受信器装置の構成を示す図である。
【００７７】
図８を参照すると、受信器装置８００は、受信部８０２及び制御部８０４を含む。受信部８０２は、複数のデータストリームのそれぞれを順次に受信し、フレーム内で設定された異なる反復長さに従って各データストリームに関連した構成データアイテムを受信する。この構成データアイテムは、このフレーム内の後続するフレームでデータストリームのためのＰＬＰを識別し受信するために使用される。制御部８０４は、この複数のデータストリームのそれぞれを受信する度に受信したデータストリームの数を累積し、累積されたデータストリームの数がこの複数のデータストリームの数と同一であるかをチェックし、このチェックの結果、この累積されたデータストリームの数がこの複数のデータストリームの数と同一となるまで、複数のデータストリームのそれぞれに関連した構成データアイテムの受信及び累積を反復する。
【００７８】
以上、本発明を具体的な実施形態を参照して詳細に説明してきたが、本発明の範囲及び趣旨を逸脱することなく様々な変更が可能であるということは、当業者には明らかであり、本発明の範囲は、上述の実施形態に限定されるべきではなく、特許請求の範囲の記載及びこれと均等なものの範囲内で定められるべきである。
【符号の説明】
【００７９】
１００  フレーム
１０２  プリアンブルセクション
１０４  データセクション
１０６  Ｐ１
１０８  Ｌ１−ｐｒｅ
１１０  Ｌ１−Ｃｏｎｆｉｇ
１１２  Ｌ１−Ｄｙｎ
１１４  Ｌ１−ダイナミック拡張
１１６  サイクリックリダンダンシーチェック（ＣＲＣ）
１１８  Ｌ１パッディング
【図１】
0006001639.tif 000003
【図２】
0006001639.tif 000004
【図３】
0006001639.tif 000005
【図４】
0006001639.tif 000006
【図５】
0006001639.tif 000007
【図６】
0006001639.tif 000008
【図７】
0006001639.tif 000009
【図８】
0006001639.tif 000010